(57)【要約】【課題】  本発明は、手動式ワイヤリフトにおいて、落下防止のための自動ロック手段を具備し作業員の転落事故の起らない安全性の高いワイヤリフトを提供することを目的とする。【解決手段】    第１主ワイヤ９に弛緩又は切断が発生した時ストッパー１２が傾斜し、第１中管１５が嵌挿している通口１３の周縁部で同第１中管の周囲を挟み、次に第１解除ワイヤ２５を操作して解除駒２４を前傾動すると、解除駒の前端部が傾斜しているストッパーの一端部を叩き、ストッパーを水平位置に戻し、ストッパーと第１中管との固定関係を解除し、ストッパーは直に傾斜位置に戻り、再度第１中管をストッパーの通口周縁部が挟み、この一連の動作を繰返すことにより、第１中管は微少巨離降下し、この動作を続けて第１中管は第２支柱５まで降下し、第２支柱を降下するために第１支柱４の外側部に付設する解除棒３４によって、解除駒に連設する解除ワイヤを引いて放すものである。【選択図】    図４
2011140357.tif 000002
【特許請求の範囲】
【請求項１】
移動固定式の支台に設けた支柱基部に第１支柱を，第１支柱には第２支柱を，第２支柱には第３支柱をそれぞれ嵌挿し、前記第１支柱の中間一側部に第１主ワイヤの巻き取りウィンチドラムを設置したワイヤリフトにおいて、前記第１支柱の上端一側部に設けた中間シーブに第１主ワイヤを懸架し、該第１主ワイヤの先端部は嵌挿する第２支柱の内部に挿入し固定子の通孔より下降して該固定子の下方部に接離するストッパーの通孔を介して止着子に取付け、前記第１支柱に嵌挿する第２支柱の内部に配置する第１中管が嵌挿する前記ストッパーの通口部周囲はストッパーが傾斜動し得るように形成し、前記ストッパーの他端部には前記第２支柱の開口底部の底板に下端を止着した圧縮弾機の上端を止着し、前記底板の一端部に下端を止着した伸張弾機の上端は前端部が前記ストッパーの他端部上面に接離する解除駒の下側部に止着し、該解除駒の他端部には第１解除ワイヤの一端を止着し、該第１解除ワイヤは前記第２支柱の上端一側部に設けた中間シーブに懸架し、この中間シーブには第２主ワイヤを並列に懸架し、前記第２支柱内部のストッパーの上方部に設けたガイド板の通孔に第２中管の下端部を固設し、この第２中管には前記第１中管の上端部を嵌挿し、このように成る複数の支柱上に作業台を設置して成ることを特徴とするワイヤリフト。
【請求項２】
複数段の支柱部材に隣接して同数段の連継式梯子材を傾斜角度７５〜８０°になるよう支台上に設置して成ることを特徴とする請求項１に記載するワイヤリフト。
【請求項３】
支柱、主ワイヤ及び解除ワイヤの数は限定せず、それに伴う各部の構成数も限定しないことを特徴とする請求項１に記載したワイヤリフト。
【発明の詳細な説明】
【技術分野】
【０００１】
本発明は、ワイヤリフトの安全機構に関するものである。
【背景技術】
【０００２】
従来、高所作業を行うための手動式のワイヤリフトにおいては、高さ調整用の手動ウィンチとリフト本体とを連結するワイヤの切断事故がしばしば起っているところ、その原因の多くは、作業前にしなければならない手動ロックの掛け忘れ等の不注意によることにあった。しかし、たとえそうであったとしても、それ以外のワイヤの切断や弛暖による作業台の落下という突発的な事故の発生を未然に防止するための安全装置を具備したワイヤリフトは、これまでに存しないことが調査の結果判明している。
【０００３】
次に例挙する公知文献にあっては、可搬作業台であったり、高所作業機であり、一般的な面での基本的な技術は開示されているが、手動式ワイヤリフトにおける安全機構については全く関係のないものである。
【先行技術文献】
【特許文献】
【０００４】
【特許文献１】特開平８−２９０３７４号公報
【特許文献２】特許第３３５６３９７号公報
【発明の概要】
【発明が解決しようとする課題】
【０００５】
そこで、本発明は、手動式ワイヤリフトにおいて、落下防止用の手動ロック手段を有するのはもちろん、落下防止のための自動ロック手段を具備して安全かつ完全な事故防止を行うとともに、梯子の傾斜角度を８０°以下の緩傾斜にして安全性のより高いワイヤリフトを提供することを目的とするものである。
【課題を解決するための手段】
【０００６】
本発明は、移動固定式の支台１に設けた支柱基部３に第１支柱４を，第１支柱には第２支柱５を，第２支柱には第３支柱６をそれぞれ嵌挿し、前記第１支柱の中間一側部に第１主ワイヤ９の巻き取りウィンチドラム７を設置したワイヤリフトにおいて、前記第１支柱の上端一側部に設けた中間シーブ１０に第１主ワイヤを懸架し、該第１主ワイヤの先端部は嵌挿する第２支柱の内部に挿入し固定子１１の通孔１１’より下降して該固定子の下方部に接離するストッパー１２の通孔１３’を介して止着子１４に取付け、前記第１支柱に嵌挿する第２支柱の内部に配置する第１中管１５が嵌挿する前記ストッパーの通口１３部周囲はストッパーが傾斜動し得るように形成し、前記ストッパーの他端部には前記第２支柱の開口底部の底板１７に下端を止着した圧縮弾機１６の上端を止着し、前記底板の一端部に下端を止着した伸張弾機２２の上端は前端部が前記ストッパーの他端部上面に接離する解除駒２４の下側部に止着し、該解除駒の他端部には第１解除ワイヤ２５の一端を止着し、該第１解除ワイヤは前記第２支柱の上端一側部に設けた中間シーブ３０に懸架し、この中間シーブには第２主ワイヤ２８を並列に懸架し、前記第２支柱内部のストッパーの上方部に設けたガイド板３４の通孔１９に第２中管の下端部を固設し、この第２中管には前記第１中管の上端部を嵌挿し、このように成る複数の支柱上に作業台４１を設置して成るものである。
【発明の効果】
【０００７】
第１に、高さ調節用の手動ウィンチと本体とを連繋するワイヤの切断又は弛緩時に、各支柱を支持する各中管に対してブレーキをかけるようにすることによって、支柱の現在位置をロックすることにしたから、高架作業台上に作業員はいても落下せず、安全な状態にいることができる。その後は作業員はすぐ降りて、自分で解除レバーを操作して作業台を降下することができる。
【０００８】
第２に、梯子は段階的に８０°以下の傾斜作動して固定することができるから、作業員の昇降は常に安全である。
【図面の簡単な説明】
【０００９】
【図１】移動前の全体の側面図
【図２】図１の正面図
【図３】移動後に作業台を上昇した状態の側面図
【図４】支柱部の正断面図
【図５】主ワイヤの正常状態時の要部の正断面図
【図６】主ワイヤの異常状態発生時の要部の正断面図
【図７】主ワイヤの異常状態発生時の要部の正断面図
【図８】主ワイヤの正常戻り時の要部の正断面図
【図９】要部の斜視図
【図１０】図３Ａ−Ａ線部の平断面図
【図１１】図３の平面図
【図１２】図３の底面図
【図１３】他例の要部の正面図
【図１４】図１３のＢ−Ｂ線断面図
【発明を実施するための形態】
【００１０】
いま第１主ワイヤが切断されると、第２支柱の下部において第１中管を通口部に嵌挿していたストッパーが、固定子に接した水平位置からストッパー下の圧縮弾機に押し上げられ、前記第１支管を前記第１中管の通口部内で挟み込む。
【００１１】
即ち、ストッパーは、第１主ワイヤが切断されると、その定位置を拘束する手段がなくなるから、圧縮弾機に押圧されて傾斜し、傾斜状態になるストッパーの通口部内に位置する第１支管を上下両側縁部から挟むようになる。（図５→図６）
【００１２】
すると、第１支管はストッパーに挟まれて停止するから、第２支柱の落下が停止されるようになる。
【００１３】
以上の状況をまとめると、次のようになる。
【００１４】
いま第１主ワイヤに弛緩又は切断が発生した時は、ストッパーが傾斜し、第１中管が嵌挿している通口の周縁部で同第１中管の周囲を挟むようにし、次に第１解除ワイヤを操作して解除駒を前傾動する。すると、解除駒の前端部が傾斜しているストッパーの一端部を叩き、ストッパーを水平位置に戻すから、ストッパーと第１中管との固定関係が解除される。
【００１５】
また、ストッパーは直ぐに傾斜位置に戻り、再度第１中管をストッパーの通口周縁部が挟み固定する。
【００１６】
この一連の動作を繰返すことにより、第１中管は微少巨離降下し、この動作を続けて第１中管は第２支柱まで降下するようになる。（以上、一連の動作については図５→図７を参照）
【００１７】
次に、第２支柱を降下するためには、第１支柱の外側部に付設している解除棒を使用し、解除駒に連設する解除ワイヤを直ぐに引いて放す。
【００１８】
この解除ワイヤを引くと、解除駒の支点ピンを軸に解除駒の先端部が下動するが、解除駒には引張弾機の上端部が止着しているから、第１解除ワイヤを放すと、解除駒は元の姿勢位置に戻る。
【００１９】
前記ストッパーは、常に圧縮弾機によって下方から押圧されているから、解除駒がストッパーから離間すると同時に傾斜状態になり、ストッパーの通口部が第１支管を挟む姿勢となる。
【００２０】
解除駒とストッパーとは、解除ワイヤを引く毎に、第１中管を挟む，離れる，の作動を繰り返すため、１回で降下する距離は短い。したがって、第２支柱が真下に降下するまで解除ワイヤを繰返し引くようにする。
【００２１】
第２支柱を降下した後は、第３支柱を降下する。
【００２２】
第３支柱は、解除ワイヤを引き、第３支柱に取付く解除駒及びストッパーを作動して降下する。
【００２３】
第３中管は第３支柱に取付けてあり、第２中管のガイドとなる。
【００２４】
第２中管は第２支柱に取付けてあり、第３中管の中をスライドする。
【００２５】
第１中管は第２中管の中をスライドする。
【実施例】
【００２６】
１は長方形に成る支台で、この支台の四隅部にはキャスター２・・・を設ける。このキャスターによって定位置まで本体を移転した後は、支台１に用意しているスタンド５２・・・を四方に延長して固定するようにするが、これは高さ調節もできる。
【００２７】
３は前記支台１の中心部よりやや偏位して設けた支柱基部で、この基部は地上より離間した位置にある。
【００２８】
４は前記支柱基部３に立設する第１支柱で、この第１支柱に嵌挿して第２支柱５を、第２支柱５に嵌挿して第３支柱６をそれぞれ構成する。
【００２９】
７は前記第１支柱４の中間一側部に設置した第１主ワイヤ９の巻取りウィンチドラムで、これにはハンドル８を設ける。
【００３０】
１０は前記第１支柱４の上端一側部に設けた中間シーブで、このシーブには前記第１主ワイヤ９を懸架し、この第１主ワイヤの先端部は、第１支柱４に嵌挿する第２支柱５の内部に挿入して下降し、この内部の固定子１１の一端部に設けた通孔１１’よりストッパー１２の通孔１３’に挿入した後、止着子１４に止着する。
【００３１】
前記固定子１１の通孔１１’の口径とストッパー１２の通孔１３’の口径とは第１主ワイヤ９が挿通する寸法になるが、後記第１中管１５が嵌挿するストッパー１２の通口１３部の口径周囲は前記ストッパーが傾斜動し得る余裕をもって形成する。（図９・図１０参照）
【００３２】
１５は第１支柱４から第２支柱５の中心部に挿通する第１中管で、この第１中管の基端部は前記第１支柱４の底部に設けた支柱基部３に固定する。
【００３３】
１６は前記ストッパー１２の他端部に上端に設けた蝶番１６’に止着した圧縮弾機で、この圧縮弾機の下端は第２支柱５の開口底部に設けた底板１７に止着する。
【００３４】
１８は前記第２支柱５内部の前記ストッパー１２の上方部に設けたガイド板で、このガイド板の通孔１９には第２中管２０の下端部を固設し、この第２中管には、前記第２支柱５の底板１７の通孔２１及びストッパー１２の通口１３を挿通した前記第１中管１５の上端部が嵌挿する。
【００３５】
前記ストッパー１２の通口１３部は第１中管１５を挿通したとき、その口径周囲は余裕のある空間部を有し、ストッパー１２が第１中管１５に対し傾斜動して挟み込む作用をすることは、前記したとおりである。
【００３６】
２２は前記底板１７の一端部に下端を止着した伸張弾機で、この伸張弾機の上端は支点となる支軸２３が前方部に偏心した解除駒２４の後側一部に止着する。この解除駒２４は２個の駒片から成るが、その支軸２３を支点に上下作動する。
【００３７】
２５は前記解除駒２４の後端部に一端を止着した第１解除ワイヤで、この解除ワイヤを引っ張ると、前記解除駒はその支軸２３を支点に前傾動し、解除駒の前端部が傾斜状態にあるストッパー１２の一端部の蝶番１６’に接してこれを叩くようになる。その時、圧縮弾機１６はその反発動によって、解除駒２４を水平位に接していた固定子１１から離間するが、それは瞬間であり、圧縮弾機の弾発力によってストッパーは再び傾斜状態に戻り第１中管を挟み込むようにする。
【００３８】
２６は開口状態にある第３支柱６の下端一部に設けた底板で、この底板から間隔をおいた上側一部にはストッパー１２を設け、このストッパーの上方部にはガイド板１８を設ける。
【００３９】
前記ストッパー１２に設けた通口１３は、その口径周囲に余裕を有して前記第２中管２０を挿通し、ガイド板１８に設ける通孔には第３中管２９の基端を固着し、この第３中管には前記第２中管２０が嵌挿する。
【００４０】
図４において見られる上下におけるストッパー１２，１２、ガイド板１８，１８、解除駒２４，２４及び第１解除ワイヤ２５，第２解除ワイヤ２７等をめぐる構造は、第１支柱４及び第２支柱５に各設置する取付位置が左右逆になるほかは同一である。
【００４１】
２７は前記解除駒２４’の後端部に一端を止着した第２解除ワイヤで、この第２解除ワイヤが引っ張られたとき、前記解除駒がその支軸２３を支点に前傾動し、解除駒の前端部が水平位置にあるストッパー１２の一端部の蝶番１６’に接してこれを叩くようになる。
【００４２】
２８は第２主ワイヤで、この第２主ワイヤの先端部は第２支柱５の下端部内部に設置する別の固定子１１の通孔１１’及び別のストッパー１２の通孔１３’に挿入した後、止着子１４に止着して取付けるが、ストッパー１２の前記第３中管２９が挿通する通口１３部の口径は、前記第１主ワイヤ９における措置と同様、周囲に余裕をもって形成する。
【００４３】
３０は前記第２支柱５の上端一側部に設けた中間シーブで、このシーブには前記第２主ワイヤ２８を懸架し、その基端部は第１支柱４の外側中間部に設けた取付部３１に取付ける。
【００４４】
３２は前記解除駒２４の後端部に止着する第２解除ワイヤ２７の上側部を懸架する第３支柱６の上端一側部に設けた中間シーブである。
【００４５】
３３は前記第３中管２９の上端部を固定する取付板である。
【００４６】
３４は前記第１支柱４の外側部に着脱自在に取付けるＴ形状の解除棒で、第２，第３支柱６の降下作業を徐々に行うための操作杆である。
【００４７】
４１は前記第１，第２，第３の支柱の最上段に設置する作業台で、この作業台の基部には支軸４２及び固定ピン４３を介して起立し折畳みし得るように成る手摺部材４４を設置する。
【００４８】
即ち、作業時には図３に示すように、三段支柱を組上げた状態においては、手摺部材４４を起立して作業台４１の周囲を防護するが、作業終了時には三段支柱を組下げ状態にしかつ手摺部材４４を側面下方に折畳んで収納状態にしておく。（図１参照）
【００４９】
５１，５１’，５１’’は直立する前記支柱材４，５，６と同数の連継状の梯子材で、梯子材の全体は支柱材に対し約７５〜８０°の緩傾斜状態に設置する。
【００５０】
なお、本発明においては、各第１，第２，第３・・支柱の長さや数、各第１，第２，第３・・中管の長さや数は任意であるから、これに合わせて、主ワイヤや解除ワイヤの数も任意である。したがって、各部分の構成もこの数に合わせてそれぞれ構成する。
【００５１】
さて、本発明において特徴となる機構をまとめると、次のようになる。
【００５２】
(1)多段の支柱４，５がそれぞれ独立した第１，第２の主ワイヤ９，２８を有すること。
【００５３】
(2)多段の支柱４，５，６がそれぞれ独立した解除ワイヤ２５，２７を有すること。
【００５４】
(3)これに加えて、以下記載する自動落下防止機構を有すること。
【００５５】
(4)梯子部材の傾斜角度は８０°以下であること。
【００５６】
また、本発明における各部の作用は、次のとおりである。
【００５７】
(1)自動落下防止機能は、次のとおりである。
【００５８】
(ア)多段の各支柱の中に落下防止用の中管１５，２０，２９，３３を内蔵し、主ワイヤ９，２８が切断されると、ストッパー１２，１２が弾機作用によって傾斜動してその通口１３，１３部の周面が前記中管の一部を挟んでロックするようになり、その外部の各支柱には影響を与えないようにする。
【００５９】
(イ)このような作動後に、各解除ワイヤ２５，２７を引く毎にロック状態は解除され、多段支柱が徐々に降下収縮されて収納されるようになる。
【００６０】
(ウ)手動ロックを緩めずに支柱を降下した時、多段支柱の降下収縮には主ワイヤが弛んでいても、前記ストッパーが作用しているから、後で手動ロックを緩めても支柱は落下しない。
【００６１】
(エ)ウィンチ７側の一段目の支柱４内の第１主ワイヤ９が最初に切断した時は、それ以外の２段，３段の上段の支柱５，６は同時にロックされるようになる。
【００６２】
(2)一段，二段目の主ワイヤの切断時における多段支柱の収納操作時の手順は、次のとおりである。
【００６３】
(ア)まずのウィンチ側の一段目の第１主ワイヤ９が、第３支柱５の三段目，第２支柱５の二段目の手動ロックを緩めながら降下するから、作業台４１から降りることになる。
【００６４】
(イ)床面から二段目の梯子材５１’の解除レバーをフックで素早く引き（１回の引きで２〜５ｍｍが落下する。）、支柱を降下する。
【００６５】
(ウ)二段目の第２支柱５を降下すると同時に、三段目の第３支柱６も降下していれば、収納終了となる。
【００６６】
(エ)三段目もロックしていた場合は、二段目を降下した後に、三段目の解除レバーをフックで引き、三段目の第３支柱６を降下する。
【００６７】
(3)次に、三段目のアイナット側のワイヤが切断した時の手順は、次のとおりである。
【００６８】
(ア)支柱５の三段目，二段目の手動ロックを緩めながら降下し、作業台４１から降りる。
【００６９】
(イ)ウィンチ７を使用し、二段目の第２支柱５を降下する。
【００７０】
(ウ)二段目の第２支柱５を降下した後、三段目の解除レバーをフックで素早く引き、三段目の第３支柱６を降下する。
【符号の説明】
【００７１】
１                      支台
２・・・                キャスター
３                      支柱基部
４                      第１支柱
５                      第２支柱
６                      第３支柱
７                      ウィンチドラム
８                      ハンドル
９                      第１主ワイヤ
１０                    中間シーブ
１１                    固定子
１１’                  通孔
１２                    ストッパー
１３，１３’            通口
１４                    止着子
１５                    第１中管
１６                    圧縮弾機
１６’                  蝶番
１７                    底板
１８                    ガイド板
１９                    通孔
２０                    第２中管
２１                    通孔
２２                    伸張弾機
２３                    支軸
２４，２４’            解除駒
２５                    第１解除ワイヤ
２６                    底板
２７                    第２解除ワイヤ
２８                    第２主ワイヤ
２９                    第３中管
３０                    中間シーブ
３１                    取付部
３２                    中間シーブ
３３                    取付板
３４                    解除棒
４１                    作業台
４２                    支軸
４３                    固定ピン
４４                    手摺部材
５１，５１’，５１’’  梯子材
５２・・・              スタンド
【図１】
2011140357.tif 000003
【図２】
2011140357.tif 000004
【図３】
2011140357.tif 000005
【図４】
2011140357.tif 000006
【図５】
2011140357.tif 000007
【図６】
2011140357.tif 000008
【図７】
2011140357.tif 000009
【図８】
2011140357.tif 000010
【図９】
2011140357.tif 000011
【図１０】
2011140357.tif 000012
【図１１】
2011140357.tif 000013
【図１２】
2011140357.tif 000014
【図１３】
2011140357.tif 000015
【図１４】
2011140357.tif 000016